Podtech/llm-jp-corpus-v4-ja_patent huggingface dataset:
(57)【要約】      （修正有）【課題】洗濯物を干すのに衣服内側どうしが接触した状態になるのを防ぐとともに、収納スペースを削減できる洗濯物ハンガーを提供する。【解決手段】針金及びプラスチック類を材料とした洗濯物ハンガー１にストッパー付羽根部分３を折り畳み可能に設ける。羽根部分を広げる事により洗濯物の内側に広い容積を確保し乾燥を容易にさせる。又、収納時は羽根部分を畳めるようにした事で幅を取らず収納スペースを削減できる。【選択図】図１
0003205577.tif 000002
【実用新案登録請求の範囲】
【請求項１】
針金及びプラスチック類を材料とし、折り畳み式の枠（羽根部分）ストッパー付を格納した洗濯物ハンガーであって、枠（羽根部分）を広げる事により洗濯物の内側に広い空間を取ることが可能なため室内や陽の当たらない屋外での使用に際し乾燥性が良くなり、収納時に於いても、枠（羽根部分）を畳めるようにした事で収納スペース削減にも対応出来る事を特徴とする洗濯物ハンガー。
【考案の詳細な説明】
【技術分野】
【０００１】
本発明は、洗濯物ハンガーに掛けた衣服内側部分の空間を広げ乾燥を容易にし、室内や陽の当たらない屋外で使用しても乾燥する事を容易にする洗濯物ハンガーに関するものである。
【背景技術】
【０００２】
洗濯物ハンガーは幅広で使える市販品もあるが、実用の幅広洗濯物ハンガーは、ハンガーに掛けた衣服の型崩れを防止目的で使用するものが主流であり、洗濯物の内側に広い空間が出来る物はないが乾燥を目的として使うには実用上十分であった。
しかし、実際に使う洗濯物の厚さは一定ではなく、乾燥して行く段階で水蒸気を通し難いのは厚手の生地で空気や水蒸気が通り難い為乾き難い欠点があった。
室内や日陰の屋外で使う洗濯物ハンガーで乾燥性が悪いのは使用性に関して大きな障害である。又洗濯した衣服内側部分の空間を広げる為、初めから内部に枠等を固定しておくと移動中等に枠が変形したり、収納する際場所を取ってしまうなどの問題があった。
この改善策として、洗濯物の通気を良くし折り畳み式で変形や、収納の際場所を取ってしまうのを防ぐ方法がある。
【先行技術文献】
【特許文献】
【０００３】
【特許文献１】無し
【非特許文献】
【０００４】
【非特許文献１】無し
【考案の概要】
【考案が解決しようとする課題】
【０００５】
通常の洗濯物ハンガーを使用して洗濯物を干す際室内や日陰の場合乾燥し難いのと、洗濯物が乾燥後ハンガーを外してハンガーをしまう事が有るので衣服内側部の空間確保用の枠がそのままの状態だと、持ち運びするのにも不便であり、空間を広げる羽根の部分が変形したり収納時のスペース削減をする。
【課題を解決するための手段】
【０００６】
２本の枠を取付け洗濯物の内側に広い空間作って乾燥を促進させる洗濯物ハンガーであるが普通の衣服ハンガーとしても使える様に、枠（羽根部分）を折り畳める様に加工し、洗濯物が乾燥後そのまま吊るして置いても場所を取らず、空間確保の為の枠（羽根部分）が変形したり破損して使えなくならない様、枠（羽根部分）を折り畳み式にし持ち運びやかたずけ易くする。
【考案の効果】
【０００７】
本発明の洗濯物ハンガーであるが、枠（羽根部分）を広げると洗濯物の内側に広い空間が出来、通気性が良くなり、折り畳める様に加工した為、普通の衣服ハンガーとしても使え、枠（羽根部分）が折り畳まれている為洗濯物が乾燥後そのまま吊るして置いても場所を取らず、空間確保の為の枠（羽根部分）が変形して使えなくならず、持ち運びやかたずけ易くなり使用性も向上した。
【図面の簡単な説明】
【０００８】
【図１】図１は洗濯物ハンガーを展開した状態と折り畳む段階。1は洗濯物ハンガー本体フレーム部、２は枠(羽根部分)収納用ストッパー付、３は枠(羽根部分)、４は収納用ストッパー部分、５は枠(羽根部分）収納用ストッパー付の展開用ストッパー、６は枠(羽根部分）展開用ストッパーで洗濯物ハンガー本体フレームを 展開しロックされた接続部を上から見たた状態と折り畳む途中の図である。
【図２】図２は枠(羽根部分)収納用ストッパー付を押し下げて収納用ストッパーを枠(羽根部分)に挿し込む状態と挿し込みロックした収納時の状態。1は洗濯物ハンガー本体フレーム部、２は枠(羽根部分)収納用ストッパー付、３は枠(羽根部分)である。
【図３】図３は通常の洗濯物ハンガーに洗濯した衣服を掛けた状態と枠（羽根部分）を広げ洗濯物の内側に広い空間が確保された状態である。
【図４】図４は、枠（羽根部分）を広げ洗濯物の内側に広い空間が確保された状態と枠を折り畳んだ状態での使用である。１は洗濯物ハンガー本体フレーム、 2は枠(羽根部分)収納用ストッパー付、３は枠(羽根部分)である。
【考案を実施するための形態】
【０００９】
枠（羽根部分）を広げると洗濯物の内側に広い空間を簡単に作れ乾燥性高められ、持ち運びと収納時のスペース削減という目的を、折り畳む事が可能な枠（羽根部分）を使用することで実現した。
【実施例】
【００１０】
本発明洗濯物ハンガーの実施例であって図４は、通常の洗濯物ハンガーに洗濯した衣服を掛けた状態とを比較した説明図、図５は、枠（羽根部分）を広げる事により洗濯物の内側に広い空間が確保された説明図。
【産業上の利用可能性】
【００１１】
本発明の洗濯物ハンガーは枠（羽根部分）を折り畳み式にし格納する事で、操作性も良く枠（羽根部分）を広げると洗濯物の内側に広い空間が作れ、通気性を良く出来、折り畳み式を採用した事で移動時や収納時の変形が起きにくいのと、収納スペース削減が計れ日当たりの良い所で使用しても乾燥が早められるという利点が有る。
【符号の説明】
【００１２】
１  洗濯物ハンガー本体フレーム 
2  枠(羽根部分)収納用ストッパー付
3  枠(羽根部分)
4  収納用ストッパー部分
5  枠(羽根部分）収納用ストッパー付展開用ストッパー
6  枠(羽根部分）展開用ストッパー
【図１】
0003205577.tif 000003
【図２】
0003205577.tif 000004
【図３】
0003205577.tif 000005
【図４】
0003205577.tif 000006
【手続補正書】
【提出日】平成28年5月27日(2016.5.27)
【手続補正１】
【補正対象書類名】実用新案登録請求の範囲
【補正対象項目名】請求項１
【補正方法】変更
【補正の内容】
【請求項１】
針金及びプラスチック類を材料とし、折り畳み式の羽根部分ストッパー付を格納した洗濯物ハンガーであって、羽根部分を広げる事により洗濯物の内側に広い空間を取ることが可能なため室内や陽の当たらない屋外での使用に際し乾燥性が良くなり、収納時に於いても、羽根部分を畳めるようにした事で収納スペース削減にも対応出来る事を特徴とする洗濯物ハンガー。
(57)【要約】      （修正有）【課題】飾り鉢の外観を損なうことなく、水やりを容易にする底面給水鉢（インナーポット）を提供する。【解決手段】底面吸水鉢の高台部分２を高く設けて、上げ底とする。これを汎用の飾り鉢６の内側に入れ水を入れると、横穴５を通じて水７が流れ込み、鉢底穴３を通して取り付けた吸水ひも１が吸水する。その際、空間４があるため、根は直接水に触れず根腐れを生じさせない。【選択図】図１
0003205576.tif 000002
【実用新案登録請求の範囲】
【請求項１】
鉢の高台を高く設けることで高台内部に空間を設け、そこへ鉢底穴を通じて取り付けた吸水ひもを垂らした汎用の飾り鉢と組み合わせて利用できる底面吸水鉢（インナーポット）。
【考案の詳細な説明】
【技術分野】
【０００１】本考案は、飾り鉢に組み込んで利用する底面吸水鉢（インナーポット）に関する。
【背景技術】
【０００２】従来の底面吸水鉢は、下部に貯水容器が一体型となった全てプラスチック製のもの、またはプラスチック製以外に陶器製やガラス製などもあるが、寸法など独自の規格に合わせて専用設計された飾り鉢にしか組み合わせることが出来なかった。
【考案の概要】
【考案が解決しようとする課題】
【０００３】貯水容器が一体型となったプラスチック製底面吸水鉢は植物育成には優れているが、鑑賞品としてはあまり使用されていない。また専用設計された飾り鉢と組み合わせて使用する底面吸水鉢（インナーポット）は、図２の示すように、主に飾り鉢の内側上部に段差（８）が設けられており、底面吸水鉢上部の縁部分を引っ掛けて内部に吊り下げて使用するため、汎用性に欠ける。
【課題を解決するための手段】
【０００４】底面吸水方式では、吸水ひもを利用して底の貯水スペースから吸い上げて根まで給水する。吸水ひもを利用する理由は、植物の根が水に浸かった状態が続いてしまうと根腐れを生じさせるため、貯水スペースと植物を植え込むスペースの間には空間が必要だからである。この空間を確保するため、従来は底面吸水鉢（インナーポット）を飾り鉢上部から吊り下げる方法が採用されていたが、底面吸水鉢（インナーポット）の高台部分を貯水スペースと根腐れを防ぐ空間に必要な分だけ高くする構造を考案した。
【考案の効果】
【０００５】消費者は、専用設計ではない飾り鉢に本考案の底面吸水鉢（インナーポット）を組み合わせることができるため、汎用の幅広い種類の飾り鉢を選ぶことができ、植物の水やりの手間は底面吸水方式により軽減することができるので便利である。
【考案を実地するための最良の形態】
【０００６】本考案に係る底面吸水鉢（インナーポット）は、図１の示すように、通常より長く下に伸びた高台部分（２）を備えている。このため、底の下部分に空間ができる。この底面吸水鉢（インナーポット）を汎用の飾り鉢（６）に入れ、高台（２）より低い水位まで水（７）を入れると、横穴（５）を通じて高台内側に水が流れ込み、鉢底穴（３）を通して取り付けられている吸水ひも（１）が水を吸い上げ根に供給する。また空間（４）を確保し、植物の根が直接水に触れないようにしているため、根腐れを生じさせない。
【図面の簡単な説明】
【０００７】
【図１】本考案に係る底面吸水鉢に植物を植え、汎用の飾り鉢に組み合わせた断面図である。
【図２】従来の底面吸水鉢に植物を植え、専用の飾り鉢に組み合わせた断面図である。
【符号の説明】
【０００８】１      吸水ひも
２      高台
３      鉢底穴
４      空間
５      横穴
６      汎用の飾り鉢
７      水
８      段差
９      専用の飾り鉢
【図１】
0003205576.tif 000003
【図２】
0003205576.tif 000004
(57)【要約】【課題】使用しなくなったアクセサリーを、新たなアクセサリーとして再利用するためのアクセサリーを提供する。【解決手段】アクセサリー本体（１）の一部に、少なくとも１つ以上の開孔部を設ける。開孔部にピアス等をはめ込むことにより、新たなアクセサリーとして利用することができる。【選択図】図３
0003205575.tif 000002
【実用新案登録請求の範囲】
【請求項１】
アクセサリー本体の一部に、少なくとも１つ以上の開孔部を有するアクセサリー
【請求項２】
前記開孔部にピアスまたはイヤリングをはめ込んだ請求項１記載のアクセサリー
【考案の詳細な説明】
【技術分野】
【０００１】この考案は、アクセサリーの一部にピアス等をはめ込むための少なくとも１つ以上の開孔部を有するアクセサリーに関するものである。
【背景技術】
【０００２】  アクセサリーには、多種多様のものがある。例えば、ブローチは胸元を飾り、ネックレスは首周りを飾り、また耳にはピアスやイヤリングがあり、いずれも女性を美しく着飾ってくれるものである。
【考案の概要】
【考案が解決しようとする課題】
【０００３】過去には、いろいろなアクセサリーがあった。購入直後は頻繁に使用するが、そのうち飽きがきたり、派手なものを好むようになったりし、使用しなくなる。しかし、綺麗で可愛く愛着があり、捨てずにおいてある場合が多かった。本考案は、使用しなくなったアクセサリーを新たなアクセサリーとして再利用することを目的としてなされたものである。
【課題を解決するための手段】
【０００４】アクセサリー本体（１）の一部に、少なくとも１つ以上の開孔部を設ける。
本考案は、以上の構成よりなる、ピアス等をはめ込むためのアクセサリーである。
【考案の効果】
【０００５】手持ちのピアス等を、本考案のアクセサリーにはめ込むことにより、新たなアクセサリーを作り出し、ピアス等の再利用が可能となる。
ピアス等の新規購入の際も、本来のピアス等としての用途（耳飾り）はもちろん、本考案のアクセサリーの一部としての購入価値もある。
ピアス等と本考案のアクセサリーの組み合わせを替えることにより、様々なアクセサリーに変化し、購入者自身が創意工夫することができる。
【図面の簡単な説明】
【０００６】
【図１】  本考案の正面図
【図２】  ピアスをはめ込んだ時の正面図
【図３】  ピアスをはめ込んだ時のＡ−Ａ´断面図
【図４】  ピアスをはめ込んだ時のＡ−Ａ´断面図（拡大図）
【図５】  違う形状のピアスをはめ込んだ時の正面図
【図６】  違う形状のピアスをはめ込んだ時のＢ−Ｂ´断面図
【図７】  違う形状のピアスをはめ込んだ時のＢ−Ｂ´断面図（拡大図）
【考案を実施するための形態】
【０００７】以下、本考案を実施するための構造について説明する。
アクセサリー本体（１）の一部に少なくとも１つ以上の開孔部を設ける。
図１（イ）の場合は２か所、図１（ロ）の場合は１か所、又色々な箇所に開孔部を１つ以上設けることにより本考案のアクセサリーとピアス等が新しいデザインのアクセサリーを作り出す。
開孔部の大きさはピアスの場合は２ｍｍ以内、イヤリングの場合は５ｍｍ以内である。
様々な形状のピアス等に対応できるアクセサリーである。
本考案のアクセサリーは幅５ｍｍ程度で、形状は丸やハート、花の形、動物の形等、多種で作ることができる。
開孔部はアクセサリー作成後にあける。
本考案は以上のような構造である。
【実施例】
【０００８】  アクセサリー本体（１）の一部に、少なくとも１つ以上の開孔部を設ける。
アクセサリーの開孔部が２か所図１（イ）の場合にはピアス等の飾りがぶら下がっているものに対応（図２）。開孔部が１か所図１（ロ）の場合、ピアス等の飾りがぶら下がっていないものに対応（図５）。
ピアス等の特徴を生かした開孔部を設ける。
安全のためにピアスキャッチをつける（４）。
【符号の説明】
【０００９】  １．アクセサリー本体
２．ピアスをはめ込むための開孔部
３．ピアス本体
４．ピアスキャッチ
【図１】
0003205575.tif 000003
【図２】
0003205575.tif 000004
【図３】
0003205575.tif 000005
【図４】
0003205575.tif 000006
【図５】
0003205575.tif 000007
【図６】
0003205575.tif 000008
【図７】
0003205575.tif 000009
(57)【要約】      （修正有）【課題】表面に耐久性のある立体的図形、立体物などの加飾を簡単に設置できるヘルメットを提供する。【解決手段】ヘルメットは、透明ポリカーボネイト樹脂筐体１と、その内部に配置されるヘルメット衝撃吸収材３とを備えたヘルメットにおいて、透明ポリカーボネイト樹脂筐体１の内表面に、立体図形、立体物の彩色パターンなどの少なくとも１つを用いて加飾２を透明ポリカーボネイト樹脂筐体１の内側に接着し、固定したことを特徴とするものである。透明ポリカーボネイト樹脂筐体１とヘルメット衝撃吸収材３との間には空間が設定されており、２ｍｍ程度の厚みのある加飾２をその空間に設置する。【選択図】図１
0003205594.tif 000002
【実用新案登録請求の範囲】
【請求項１】
人の頭部を保護するヘルメット衝撃吸収材と、この外側に配置される透明ポリカーボネイト樹脂筐体を備えたヘルメットにおいて、ヘルメット衝撃吸収材と透明ポリカーボネイト樹脂筐体の間に２ｍｍ程度の空間を設け、その空間に立体物や印刷物などを設置できるように設定されたヘルメット。
【請求項２】
人の頭部を保護するヘルメットで透明ポリカーボネイト樹脂筐体を最外殻のヘルメット筐体に使用したこと特徴とするヘルメット。
【請求項３】
上述ヘルメットの透明ポリカーボネイト樹脂筐体に加飾シール等を透明体の内側から貼り付けるため、シールの印刷面に接着材があるシールを使用することを特徴とするヘルメット。
【請求項４】
上述ヘルメットの透明ポリカーボネイト樹脂筐体とヘルメット衝撃吸収材との間にＬＥＤ照明装置を設置したことを特徴とするヘルメット。
【請求項５】
上述ヘルメットの透明ポリカーボネイト樹脂筐体と衝撃吸収材との間に太陽光発電パネルを設置したことを特徴とするヘルメット。
【考案の詳細な説明】
【技術分野】
【０００１】  本考案は、ヘルメットの加飾方法に関するものである。
【背景技術】
【０００２】  ヘルメットの外装加飾方法としては、印刷シールをヘルメットの外装表面に張り付けることで加飾を行っている。
【先行技術文献】
【０００３】
【特許文献】
【特許文献】  特開平０５−９７５５１０号  公報
【０００４】
【特許文献】  特開平０９−１１１５２８号  公報
【考案の概要】
【考案が解決しようとする課題】
【０００５】ヘルメットの外装にシールなどを貼り付けると、摩擦や機械的損傷により、シールが破損することがよくある。ヘルメットの筐体に透明ポリカーボネイト樹脂を使用し、ヘルメットの衝撃吸収部材とヘルメットの筐体との間にシール等の加飾を設置することにより、前述の欠点を解決しようとするものである。
【課題を解決するための手段】
【０００６】本考案はヘルメットの筐体として透明ポリカーボネイト樹脂を使用する。ポリカーボネイト樹脂は透明度が高く、強度も高い樹脂でありその特性を利用し、ヘルメットの衝撃吸収材との間に２ｍｍ程度の空間を設置し、前述の問題点を解決している。
【考案の効果】
【０００７】上述の様に、本考案は透明ポリカーボネイト樹脂により内部の加飾がよく見えて、デザイン性が高くなり、また透明ポリカーボネイト樹脂と頭部衝撃吸収材との間に空間があるので、厚みのある立体物も加飾として使用できる。
【図面の簡単な説明】
【０００８】
【図１】本考案のヘルメットの一実施例を示す中央断面図である。
【考案を実施するための形態】
【０００９】透明ポリカーボネイト樹脂筐体の内側にある頭部衝撃吸収材との間に２ｍｍの空間ができる様に頭部衝撃吸収材に凹の造形処理を施した形状とする。
【実施例】
【００１０】以下、添付図面に従って実施例を説明する。１は透明ポリカーボネイト樹脂を使用して加工されたヘルメット筐体。２は印刷面に接着剤の施工してある加飾シール。２は透明ポリカーボネイト樹脂筐体の内側に加飾シール接着面を可視可能な方向で接着する。３は衝撃吸収材。【００１１】本考案は上述のように、透明ポリカーボネイト樹脂筐体と頭部衝撃吸収材との間に空間があるので、その空間にＬＥＤ発光ライトと太陽光発電パネルを組み込み、夜間になると発光し、交通安全に効果を発揮する。【００１２】本考案の上述の空間には、押し花などの厚みのある加飾を設置することができる。
【符号の説明】
【００１３】  １…透明ポリカーボネイト樹脂筐体
２…加飾
３…頭部衝撃吸収材
４…ＬＥＤ発光ライト
５…太陽光発電パネル
６…押し花
【図１】
0003205594.tif 000003
(57)【要約】      （修正有）【課題】軽量なそして低価格の防音パネルを提供する。【解決手段】反射板１と吸音材２及び吸音板３を重ね合わせた防音パネルであって、反射板１を軽量なアルミ板等にした。吸音材２は軽量な一般建築用の断熱材を利用した。吸音板３は市販品のアルミ製で軽量で且つ吸音率が高い板を使用している。軽量のため、組立構造も頑丈なフレーム等不要であり、当然簡易的であり、コストダウンできる。製作も専門技術者でなくても、製作できるため、コストダウンできる。【選択図】図２
0003205592.tif 000002
【実用新案登録請求の範囲】
【請求項１】
反射板（１）と吸音材（２）及び吸音板（３）を重ね合わせ製作された防音パネル。
【考案の詳細な説明】
【考案の詳細な説明】
この考案は、反射板（１）と吸音材（２）及び吸音板（３）を重ね貼り合わせ製作された防音パネルに関するものである。
従来のパネルは、鋼板製で、音の貫通を避けるため、板厚も厚いものを使用しているため、大変重量が大きく、取り扱いも重労働である。又、組立時の構造も頑丈なフレーム等が必要となるし、スライド等あるいは扉等の構造も頑丈になり、製作手間がかかる爲、高額になってしまう。又、吸音材が、ガラスウール等を使用するため、囲いの中でガラスの粉末が飛散するし、触るとチクチクとし不快であった。
本考案のパネルは、反射板（１）を軽量なアルミ板等にした。
吸音材（２）は軽量な一般建築用の断熱材を利用した爲、防炎ないし不燃材である。吸音板（３）は市販品のアルミ製で軽量で且つ吸音率が高い板を使用している。
このパネルを使用すれば、製造価格も同等程度で、全体の重量も２０パーセント程度と軽量にできるため、構造も頑丈なフレーム等不要であり、当然簡易的であり、コストダウンできる。
製作も専門技術者でなくても、製作できるため、コストダウンが考えられ、大変大きな効果が得られるものと考えられる。
設置方法は囲いの内面が（３）吸音板となる。
【図面の簡単な説明】
【図１】本考案の斜視図である。
【図２】本考案の部分断面図である。
【符号の説明】  （１）は反射板    （２）は吸音材    （３）は吸音板
【図１】
0003205592.tif 000003
【図２】
0003205592.tif 000004
(57)【要約】      （修正有）【課題】持ち運びが便利で、冷風又は温風が出る携帯冷温扇風機を提供する。【解決手段】携帯冷温扇風機は、電池式のモーター３で羽根１を回転させるもので、その羽根１の部分に、冷却品又は温熱品４を入れて、羽根１が回転することにより、冷風又は温風が吹き出るようにした。【選択図】図１
0003205591.tif 000002
【実用新案登録請求の範囲】
【請求項１】
携帯電話機位の大きさに小型化した電池式扇風機の羽根部に冷却品、又は、暖熱品を入れられるようにして冷風、又は、温風を送り出せるようにした携帯冷温扇風機。
【考案の詳細な説明】
【考案の分野】
【０００１】本考案は電池で羽根を回転させる、携帯扇風機に関するものである。
【背景技術】
【０００２】従来の携帯扇風機は、羽根を回転させると外気と同じ温度の風が送られて来ていた。
【考案の開示】
【考案が解決しようとする課題】
【０００３】従来の携帯扇風機をポケットに入る位に小型化し、暑い外気を冷たく冷やし、冷たい外気を温かくして送るようにする。
【課題を解決する手段】
【０００４】本考案は携帯扇風機を携帯電話機位の大きさに小型化し、羽根部に冷却品を入れて空気を冷やすか、又は、暖熱品を入れて空気を温め、羽根を回転することにより冷風又は、温風が出るようにしたものである。
【考案の効果】
【０００５】本考案にて持ち運びが便利で、冷風又は、温風が出る扇風機が得られた。
【考案を実施するための最良の形態】
【０００６】以下、本考案の実施の形態を説明する。
新たに考案した携帯扇風機は、電池式のモーターで羽根を回転させるもので、その羽根の部分に冷却された品物か、温められた品物を入れて、羽根が回転することにより冷気、又は、温風が吹き出るようにしたものである。
【実施例】
【０００７】冷風が必要なときは冷却品を入れて使用し、温風が必要なときは暖熱品を入れて使用する。又、それらを入れないときは普通の携帯扇風機として使用できる。
【図面の簡単な説明】
【０００８】
【図１】本考案の図面
【符号の説明】
【０００９】１  羽根
２  電池
３  モーター
４  冷却品又は、暖熱品
５  スイッチ
【図１】
0003205591.tif 000003
(57)【要約】      （修正有）【課題】一切の道具がなくても組立可能な箱を提供する。【解決手段】箱作りに利用される側板ののりしろ相当部を通常よりやや大きめに作りそれに切れ込みを入れ、相接する側板にはそののりしろ相当部を受け入れるための切れ込みを入れる。のりしろ相当部を切れ込みに挿入後、のりしろ相当部の切れ込みにおいて根元の部分とその先が、受け入れ部の切れ込みの変形が元に戻ろうとする力により変形する事で抜け防止作用となり、組み立てられた箱の状態を維持する事で箱が形を維持する事となる。【選択図】図１０
0003205544.tif 000002
【実用新案登録請求の範囲】
【請求項１】
底面の各辺に側板が接続されており、谷折りで起こした各側板の相接する部分において、一方の側板には舌状ののりしろ相当部が接続されており、もう一方の側板にはその舌状ののりしろ相当部の挿入を受け入れるための切れ込みを有する事を特徴とする道具不要で組立可能な箱。
【請求項２】
一方の側板に接続される舌状ののりしろ相当部には外周の１点より中心に向けて切り込みを有し、相接するもう一方の側板の切れ込み部の位置と形は、側板を谷折りし相接する側板の舌状ののりしろ相当部を切れ込に完全に挿入した時、舌状ののりしろ相当部と重なる部位において、まったく同じ位置と形になる事を特徴とする請求項１記載の道具不要で組立可能な箱。
【考案の詳細な説明】
【技術分野】
【０００１】
本考案は、工作道具を用いず組立可能となる箱作りに関するものである。
【背景技術】
【０００２】
箱を組立てる場合、素材シートの底面の各辺に接続する側板を折り曲げ加工し、相接する側板同士は一方に舌状ののりしろ部を配し、他方との接合には接着剤、ハトメ、コの字状の金属部品を使って組立てる方法が一般的な方法であるため、必ず組立現場には素材シート以外に接着剤、ハトメ、コの字状の金属部品とそれを留める工作道具の準備が必要である。
【０００３】
また、他方の側板に切れ込みを入れ、そこに舌状ののりしろ部を挿入する方法もあるが、舌状ののりしろ部が固定されていないので、簡単に形が崩れてしまう事になる。
【考案の概要】
【考案が解決しようとする課題】
【０００４】
本考案は、従来の欠点に鑑み、箱のもととなる型抜きされた素材シートを準備するだけで、他に準備する道具がなくても、簡単に箱を組立てる事ができるので、前述の欠点を解決する事が可能となる。
【課題を解決するための手段】
【０００５】
上記目的を達成するために本考案では、箱の底面の各辺に接続して側板を配しておき（図７）、相接する側板の一方には従来と同じ様に舌状ののりしろ相当の部分１があり、他方にはそののりしろ相当の部分を挿入するために切り込み２−２’−２”を施している。
【０００６】
１には外周の１か所３からその中心に向かって切り込み３−３’が施されており、側板を谷折り後、相接する他の側板に施された２−２’−２”へ１を挿入して組立てる。（図８）
【０００７】
３−３’と２−２’の切り込み位置と形は、箱として組み立て、１を２−２’−２”へ完全に挿入した時に、またく同位置、同形に重なるように切り込まれている事で本件の問題点を解決している。（図９）
【考案の効果】
【０００８】
本考案を用いて箱を作ると、組立現場には素材シート以外に特別な工作道具を一切準備しなくても、簡単な工程で箱が組み立てられ、素材自身の持つ復元力を利用する事で、箱の形を維持し続ける事が可能となる。
【図面の簡単な説明】
【０００９】
【図１】正面図
【図２】背面図
【図３】左側面図
【図４】右側面図
【図５】平面図
【図６】底面図
【図７】素材シート展開図  （縮小）
【図８】組立過程斜視図  （接合部詳細）
【図９】組立完成斜視図  （接合部詳細）
【図１０】組立完成全体斜視図  （縮小）
【図１１】のりしろ相当部のＡ−Ａ断面図
【図１２】のりしろ相当部受け入れ部のＢ−Ａ断面図
【図１３】のりしろ相当部のＣ−Ｃ断面図
【図１４】のりしろ相当部受け入れ部のＣ−Ｃ断面図
【考案を実施するための形態】
【００１０】
以下に本考案の実施の形を図に基づいて説明する。
【実施例１】
【００１１】
（図７）に従い、板紙、ＰＰ紙等の板状の素材シートを型抜き切断し、底面の各辺に配した側板を谷折りで持ち上げる。
【００１２】
隣り合わせになる側板の一方にある舌状ののりしろ相当部1をもう一方の側板の切れ込み部２‐２’‐２”に差し込む。
【００１３】
箱を組立てている作業中、1を２−２’−２”の切れ目に差し込んでいる過程においては（図８）、３−３’の切れ込みに変化はないが（図１１）、２−２’−２”の切り込は２、２”を支点とし２’が左右に広がっている。（図１２）
【００１４】
さらに1を２−２’−２”に充分差し込んでいくと、１の切れ込み３−３’が２−２’ に重なる時に（図９）、左右に広がった２’が元に戻ろうとする力により（図14）、１の３−３’より根元の部分と奥に入った部分が変形し（図１３）、1を引き戻そうとする力に対し、それが障害物となりロック作用となるため抜き出す事ができにくくなり、箱がその形を維持する事が出来るようになる。
【００１５】
底面の形は四角形に限らず三角形でもまた他の多角形でも応用は効く。側板についても正四角形でなくても台形でも可能である。
【００１６】
展開図にある一つの側板に底面と同じ形を付けると箱は蓋付きにもなるし、サイズの違う同型の箱を二個作ると、他方の箱を反転させて蓋にする事も可能である。
【００１７】
２、２”、３’の部分に切れ込みに対し直角に少し切れ込みを入れると、のりしろ相当分の挿入作業が容易になるとともに、箱の完成後に予測外の外力がかかった場合に切れ込みの破れ防止になるが、反対にロック作用がやや弱まる事となる。
【００１８】
箱を解体する際も、のり付けやハトメ、コの字状の金属部品を使った箱より簡単に分解できるとともに、廃物の処理が容易である。
【００１９】
図１０で示す斜視図が本考案による実施例の完成の一例である。
【符号の説明】
【００２０】
１  側板に付属する舌状ののりしろ相当部
２  側板ののりしろ相当部の挿入を受け入れるための切れ込みの起点部
２’  側板ののりしろ相当部の挿入を受け入れるための切れ込みの中間部
２”  側板ののりしろ相当部の挿入を受け入れるための切れ込みの終点部
３  側板に付属する舌状ののりしろ相当部の切れ込みの起点部
３’  側板に付属する舌状ののりしろ相当部の切れ込みの終点部
【図１】
0003205544.tif 000003
【図２】
0003205544.tif 000004
【図３】
0003205544.tif 000005
【図４】
0003205544.tif 000006
【図５】
0003205544.tif 000007
【図６】
0003205544.tif 000008
【図７】
0003205544.tif 000009
【図８】
0003205544.tif 000010
【図９】
0003205544.tif 000011
【図１０】
0003205544.tif 000012
【図１１】
0003205544.tif 000013
【図１２】
0003205544.tif 000014
【図１３】
0003205544.tif 000015
【図１４】
0003205544.tif 000016
(57)【要約】      （修正有）【課題】名刺を一枚づつ容易に取り出せるようにするための名刺入れの中に入れる引き出し板を提供する。【解決手段】薄い硬めのゴム板などの摩擦の大きな引出板２を名刺入れの中に入れる。この引き出し板を名刺１に押しつけて取り出し口に移動させることにより、容易に１枚ずつ取り出すことができる。【選択図】図１
0003205563.tif 000002
【実用新案登録請求の範囲】
【請求項１】
名刺入れの中に摩擦の大きな引出板（２）を入れて名刺（１）を取り出すようにした方法。
【考案の詳細な説明】
【技術分野】
【０００１】本案は名刺を一枚づつ取り出せるようにした名刺入れである。
【背景技術】
【０００２】従来、名刺入れを全く加工しないで容易に一枚づつ取り出せるようにしたものはなかった。
【先行技術文献】
【特許文献】
【０００３】
【特許文献１】特開２０１５−０１６０５５号公報
【特許文献２】実登３０５７９４７号公報
【考案の概要】
【考案が解決しようとする課題】
【０００４】名刺入れを加工しないで容易に名刺を一枚づつ取り出せるようにする。
【課題を解決するための手段】
【０００５】両面が摩擦の大きな引出板（２）を名刺入れの中に入れる。
【考案の効果】
【０００６】名刺入れを加工しないで容易に名刺を一枚づつ取り出せる。
【図面の簡単な説明】
【０００７】
【図１】名刺入れを開いた斜視図である。
【図２】引出板（２）の平面図である。
【図３】取っ手（３）を設けた引出板の平面図である。
【考案を実施するための形態】
【０００８】名刺入れから名刺（１）を取り出すとき指の乾燥状態によっては一枚だけというのが難しいものである。本案はこのようなときでも容易に一枚だけ取り出せるようにした名刺入れである。薄い少し硬めのゴム板などの摩擦の大きなもので引出板（２）を作り、これを名刺入れの中に入れる。名刺（１）を取り出すとき大抵は、取り出し口を正面に縦にして取り出すか、または、手のひらに平らにして取り出すかであるが、まず前者の場合、名刺（１）の右側にある引出板（２）を名刺（１）に押して取り出し口へ持ってくると一枚だけ取り出せる。次に平らにして取り出すときは名刺（１）の下にある引出板（２）を取り出し口へ持ってくるのであるが、この場合、引出板（２）をつかみ易くするために取っ手（３）を設ける。また、この場合、引出板（２）の下面は摩擦が大きくなくてもよい。
本案の引出板（２）はゴム板などに限らず他の薄く硬いものでもよく、また、摩擦の大きなものを張り付けてもよい。
【符号の説明】
【０００９】１  名刺
２  引出板
３  取っ手
【図１】
0003205563.tif 000003
【図２】
0003205563.tif 000004
【図３】
0003205563.tif 000005
【手続補正書】
【提出日】平成28年5月12日(2016.5.12)
【手続補正１】
【補正対象書類名】実用新案登録請求の範囲
【補正対象項目名】全文
【補正方法】変更
【補正の内容】
【実用新案登録請求の範囲】
【請求項１】
名刺入れの中に入れて名刺（１）を取り出すために使う引出し板（２）
(57)【要約】      （修正有）【課題】森林浴により樹木から発散するフィトンチッドの効用を都市生活の中で活用できるようにするフィトンチッドボックスを提供する。【解決手段】１．松、檜、杉等の新鮮な針葉樹木を細分化、チップ化し、網状袋１に入れる。２．網状袋１は有穴の収納箱に収めフィトンチッドの発散を容易にする。３．収納箱は家具類の未利用空間に敷設するか、単独に部屋に設置する。４．劣化したフィトンチッド網状袋は適宜、新鮮なものに交換する。【選択図】図１
0003205565.tif 000002
【実用新案登録請求の範囲】
【請求項１】
新鮮な木材チップを網状袋に入れ、有穴の収納箱に収め、フィトンチッドの発散を容易にし、人体の健康保全に活用する。
【請求項２】
収納箱は家具類の未利用空間に敷設する。或いは収納箱単独で部屋に設置する。
【考案の詳細な説明】
【技術分野】
【０００１】  本考案は森林の樹木から発散するフィトンチッドと称する物質が人体の健康に効用があるので手近な都市生活の中で、その活用が可能となることを目的としたものである。
【技術背景】
【０００２】  森林浴、自然公園等での散策、各種の娯楽、スポーツ等を通じて人間のゆとりや安らぎが求められるが、近代生活では時間的、経済的余裕が少ない人が多い。
【０００３】  近年の苛酷な職場環境や家庭内での雑務で精神面での障害を起こす例が多くなっている。
【０００４】  室内緑化による環境も人間の安らぎに寄与するが、フィトンチッド程の顕著な効果には及ばない。
【先行技術文献】
【０００５】  森林浴の生体免疫機能への効果      日本医事新報  ＮＯ．４３８９  李  卿
【０００６】  森林浴は何故体に良いか            文春新書ＩＳＢＮ９７８−４  宮崎良文
【０００７】  森林浴はヒトナチュラルキラー細胞を活性化させ、その持続効果が期待される。    （獨）森林総合研究所  プレスリーリース  ２００７年３月２３日針葉樹木から発散されるフィトンチッドなる物質が人間の血圧低下、免疫機能の増大、リラックス効果に寄与する事が科学的、医学的に明らかにされてきた。
【考案の概要】
【考案が解決しようとする課題】
【０００８】  森林浴により人体面や精神面に好影響をもたらす事は明らかにされてきたが、都会での子供、高齢者、サラリーマン等はその恩恵を受ける機会に乏しい。都市生活の中で容易にその効果を活用できるようにする事が本考案の課題である。
【課題を解決するための手段】
【０００９】    松、檜、杉等のフィトンチッドの豊富な、新鮮な針葉樹木を細分化、チップ化し、網状の袋に詰め、有穴の収納箱に収め、フィトンチッドの発散を容易にする【００１０】  収納箱は生活空間の障害とならない様に家具類の未利用空間に収納するか、或は単独で部屋に設置する。【００１１】  フィトンチッドは経年劣化するので網状袋毎に適宜新鮮なものに取り換えを図る。
【考案の効果】
【００１２】  職場の会議室、リラックスルーム、家庭の部屋等に収納箱の設置が可能で、且生活空間に障害とならないので容易にフィトンチッドの効用が活用され、健康保全が得られる。【００１３】  高齢者、子供、障害者等の森林に行く事が困難な人にも森林浴とほぼ同じ効果が期待できる。【００１４】  劣化した網状袋は焼却し、エネルギーとなる。日本は面積７０％弱が森林で森林資源の有効活用の一分野が開かれる。
【図面の簡単な説明】
【００１５】
【図１】  プランチングボックスにフィトンチッド網状袋を収納した状況を説明する図面である。プランチングボックスの上部は植木鉢等を入れる家具であるが下部は未利用空間となっている。ここにフィトンチッドの網状袋を収納する。                                      ▲１▼フィトンチッド網状袋                                                      ▲２▼収納箱の有穴  扉                                                          ▲３▼  “      〃  棚                                                          ▲４▼空気流通穴
【図２】  会議机の下部空間は未利用でこの空間にフィトンチッド網状袋を収納する。                ▲１▼フィトンチッド網状袋                                                      ▲２▼収納箱    （机の上面、床面に設置した例を含む）                            ▲３▼空気流通穴
【図１】
0003205565.tif 000003
【図２】
0003205565.tif 000004
【手続補正書】
【提出日】平成28年4月27日(2016.4.27)
【手続補正１】
【補正対象書類名】実用新案登録請求の範囲
【補正対象項目名】全文
【補正方法】変更
【補正の内容】
【実用新案登録請求の範囲】
【請求項１】
有穴の収納箱に、新鮮な木材チップが入った網状袋が収められた、フィトンチッドボックス。
【請求項２】
家具類の未利用空間に請求項１のフィトンチッドボックスを収納する事を特徴とする家具。
(57)【要約】      （修正有）【課題】水圧、水撃作用等によるＯリング逃げによる水漏れを防止できるテーパー付脱気プラグを提供する。【解決手段】水道メーターの二次側に設置して筒型ケーシング内にカートリッジを装着し入水口より入ってきた原水を浄水し宅内に供給する装置の設置及びカートリッジ交換後の通水時にケーシング内の空気を抜く為の脱気プラグ１であり、Ｏリング２の装着部にテーパーを施し本体蓋に挟み込み、水圧、水撃作用によるＯリング飛び出しによる水漏れを防止する。【選択図】図２
0003205561.tif 000002
【実用新案登録請求の範囲】
【請求項１】
自社製品〔セントラル方式浄水システム“光水”ＣＲ−５００ＭＳ〕の設置及びカートリッジ交換後に、内部のエアーを抜く機構であるプラグ（脱気プラグ）自体（頭部底面）にテーパーを設けることにより、水圧及び水撃作用によるＯリングの逃げ防止が可能となる特徴を持ったプラグである。
【考案の詳細な説明】
【技術分野】
【０００１】本考案は、製品天板部分にて脱気を行うプラグ自体にテーパーを設けたプラグに関するものである。
【背景技術】
【０００２】設置、カートリッジ交換にて脱気後、プラグを閉め込む事で脱気プラグに取り付けているＯリングが天板（皿モミ部）と密着する事により止水を行っていた。
【考案の概要】
【考案が解決しようとする課題】
【０００５】脱気プラグ閉め込み後、脱気プラグ取付けのＯリングと天板脱気口（皿モミ部）の接触面積が不均等となる事により水圧、水撃作用にて弱い部分のＯリングの一部が逃げ、水漏れを発生させていた。このＯリング逃げ防止による水漏れを解決しようとするものである。
【課題を解決するための手段】
【０００６】本考案は脱気プラグ自体にテーパーを設ける事により、プラグを閉め込むと脱気口（皿モミ部）とプラグのテーパー部間のＯリングが均等に押さえられる事によりＯリングの逃げが無くなる為、水漏れ防止となる事により問題点を解決する事となる。
【考案の効果】
【０００７】上述の様に、本考案のテーパー付脱気プラグは脱気口（皿モミ部）、プラグ、Ｏリングの密着精度を上げると共にクリアランスが小さくなり、Ｏリングの逃げが無くなり水漏れの防止が可能となる。
【図面の簡単な説明】
【０００８】
【図１】本考案、脱気プラグの断面図である。
【図２】本脱気プラグの取付け状態正面図で有る。
【考案を実施するための形態】
【０００９】テーパー付脱気プラグ首部にＯリングを取付け、製品内脱気終了後このプラグを脱気口に閉め込んでいく。
閉め込みにより、脱気プラグに取付けられているＯリングが上下均等に押さえられ脱気プラグ部、脱気口（皿モミ部）に密着する事により締め付け密着精度が上がり、且つ逃げスペースを無くす事となる。
【実施例】
【００１０】以下、添付図面に従って一実施例を説明する。１はテーパー付に加工された脱気プラグ本体。２はＯリング。３は天板脱気口。１のテーパー付脱気プラグを閉め込む事により２のＯリングが１のテーパー付脱気プラグと３の天板脱気口の全ての密着精度が増して来る。また、３の天板脱気口には皿モミ加工が施されている為、１のテーパー付プラグ側、３の天板脱気口共にＯリングの逃げは発生しない。通常の締め込みに於いても上記内容の効果があり、Ｏリング逃げを防止する事が可能となる。すなわち、水圧、水撃作用によるモードに対してもＯリング逃げを防止する事が可能となる。
【産業上の利用可能性】
【００１１】止水用ネジの運用に於いて、水圧、水撃作用の働く部位にて圧力によるＯリング逃げの阻止、漏れ等の防止が可能となる。
【符号の説明】
【００１２】１  テーパー付脱気プラグ
２  Ｏリング
３  製品天板
４  リブ付フランジパッキン
５  製品本体
0003205561.tif 000003
【手続補正書】
【提出日】平成28年1月6日(2016.1.6)
【手続補正１】
【補正対象書類名】実用新案登録請求の範囲
【補正対象項目名】全文
【補正方法】変更
【補正の内容】
【実用新案登録請求の範囲】
【請求項１】
自社製品［セントラル方式浄水システム“光水”ＣＲ−５００ＭＳ］に使用している脱気プラグにテーパーを施しＯリング飛び出しによる水漏れ防止を図るもので、ＣＲ−５００ＭＳは水道メーターの二次側に設置する製品で筒型ケーシング内にカートリッジを装着し入水口より入ってきた原水を浄水し宅内に供給する装置で、構造は本体ケーシング、本体蓋のツーピースで構成されており設置及びカートリッジ交換後の通水時にケーシング内の空気をこの本体蓋に取り付けた脱気プラグより抜く為に設けられ、この脱気プラグにはＯリングを装着しており、脱気後締め込む事で止水しているが、水圧、水撃作用、接触面積の不均等によりＯリングの一部が飛び出し水漏れを起こしている為、脱気プラグＯリング装着部にテーパーを施し本体蓋との挟み込みにより水圧、水撃作用によるＯリング飛び出しによる水漏れ防止が可能となる特徴を持ったテーパー付脱気プラグ。
【手続補正２】
【補正対象書類名】図面
【補正対象項目名】全図
【補正方法】追加
【補正の内容】
【図１】
0003205561.tif 000004
【図２】
0003205561.tif 000005
【手続補正書】
【提出日】平成28年4月29日(2016.4.29)
【手続補正１】
【補正対象書類名】実用新案登録請求の範囲
【補正対象項目名】全文
【補正方法】変更
【補正の内容】
【実用新案登録請求の範囲】
【請求項１】
頭部底面にテーパーを施し、水圧、水撃作用による０リングの逃げが無くなることにより水漏れ防止が可能となる特徴を持ったテーパー付き脱気プラグ。
(57)【要約】      （修正有）【課題】容易且つ衛生的な、汚損部のみ脱着可能な汚物処理生分解性水溶性シートを提供する。【解決手段】生分解性水溶性シートｅは生分解性水溶性吸水素材ｅ２を中央位置に配置し多少厚みが有り吸水性が有る。該水溶性吸水素材ｅ２の周囲に該水溶性吸水素材ｅ２よりも面積を広めた生分解性水溶性シート被膜部分ｅ１が形成されていて、前記シートｅ表面には一時的撥水機能を持った原料を薄く塗布又は噴霧する。汚物収容時は溶解しにくく、裏面側は原料に水溶性の機能が有る構造により、該水溶性シート被膜部分ｅ１の汚物収容後シート周囲被膜で包み込み茶巾状に絞り、トイレ封水廃棄の際は溶解しやすく、下水管までの流出が可能で有る。又  生分解性原料の為、汲み置き式トイレや土中の埋設後も完全に分解しごみが発生しない。【選択図】図１
0003206401.tif 000002
【実用新案登録請求の範囲】
【請求項１】
ポリビニルアルコール、生分解性高分子ポリマー、水溶性パルプ等の生分解性水溶性原料から成る事を特徴としたシートは、隣接集合体として形成出来る構造で、片面に一時的撥水機能を持たせ中心部に前記生分解性水溶性原料吸水素材を設置し汚物収容時内側からは溶解しにくく、反面には相反する水溶性の機能を持った平面展開出来る構造の被膜を基盤とし外側からは溶解しやすい構造とし、汚損部のみ部分的に取り出した汚物内蔵シートを茶巾状に包み絞り、水洗トイレ、汲み置き式トイレ、土中に廃棄する事を特徴とする汚物処理生分解性水溶性シート。
【考案の詳細な説明】
【技術分野】
【０００１】
本考案は介護、看護、ペットの汚物処理シートに関するものである。
【背景技術】
【０００２】
介護看護現場、犬猫の室内飼いにて起こる汚物類の衛生的処理を目的とする発明や考案としては次のようなものが公知となっている。
【先行技術文献】
【特許文献】
【０００３】
【特許文献１】特開２００１−８５６８
【特許文献２】特開２００９−０１１６６５
【特許文献３】特開２００８−２３７１８５
【特許文献４】特開２００８−２４５６６２
【特許文献５】特開２００８−１４２０１４しかしながら消却目的とした高分子ポリマーを主原料としたペットシーツが一般的に使用されおり、地球温暖化を加速させていることが社会問題となっている。これに対し連続して隙間なく敷き詰め部材を用い固定させるシーツが提案されているが、使用後トイレへ流水廃棄目的とするものでは無かった。
【０００４】
並べて敷き詰めるにあたりずれが生じ、隙間からの排泄物漏水を阻止する為、各片を部材で固定されているが、使用者は各片をまたぎ吐瀉、排泄する事が多い為、頑丈に固定するほど脱着が困難となってしまい使い勝手が良くない。又シート淵部分が汚損された場合、脱出運搬時に排泄物の落下懸念、手への付着の懸念が有り衛生的ではない。
【考案の開示】
【考案が解決しようとする課題】
【０００５】
本考案は看護介護現場では吐血、吐瀉物、排泄物等で汚損された既存の布製シーツ全体を身体に敷き込まれた状態から取り出すことは過重労働で有り、感染症への感染リスクを高め、洗濯現場までの衛生確保が困難であった。
また  高分子ポリマーを原料としたペットシーツの大量産業廃棄物処理による焼却時ダイオキシン飛散、地球温暖化が課題であったが、大きな社会問題を払拭させ、環境破壊を軽減出来得る事を目的とする。
【課題を解決するための手段】
【０００６】
そこで本考案は、生分解性水溶性原料を用いたシートの全体を脱出廃棄させるのでは無く、汚損部のみ部分的に前期分割片のみ分割脱出、ｅ２の水溶性吸水素材汚損部を、ｅ１の分割片周囲被膜で包み込み茶巾状に絞り、水洗トイレ、汲み置き式トイレ、災害時は土中埋没等の手段により、衛生的即座処理を可能とする。又  前記生分解性水溶性原料分割片シートの収納、運搬時は、図３に示すｅ１の分割片被膜部分を屈曲して畳める利便性も備えている。
【考案の効果】
【０００７】
本考案の生分解性水溶性原料分割片シートはペット用ケージ内での敷き詰めに限らず、携帯し、乗り物シート座面でも使用出来、汚損後外出先トイレでの流水廃棄可能で有り、不衛生な汚物を含んだまま持ち帰らず済む。
【０００８】
前記原料分割片シートは上面に一時的撥水機能が有る周辺被膜との部分的積層部が有ることにより隣接の際少々の隙間が生じても、流体汚物の漏れを軽減出来得る。又  床面座面に強力にシートを接着固定した場合の、剥離の際に反動衝撃が加わる事による汚物零れの懸念が無い。
【０００９】
障害をお持ちの方も外出先での意図せぬ失禁による車椅子や、乗り物座面の汚損が心配で水分を控えなければならず健康面で危惧されていた課題も、この生分解性水溶性分割片シートを携帯し、座面に敷くことにより安心して自動車の運転、デスクワークに集中でき、不安無く外出、職務が可能となる。
【００１０】
したがって介護看護現場での衛生面の確保、障害をお持ちの方のＱＯＬと、
地球温暖化抑制に貢献する事が出来得る物品としての実用的効果は大きい。
【図面の簡単な説明】
【００１１】
【図１】はシートの斜視図である
【図２】はシートを集合させた状態の斜視図である
【図３】はシートの裏面側の斜視図である
【考案を実施するための形態】
【００１２】
ｅは生分解性水溶性シートである。ｅ２の中央部分は生分解性水溶性吸水素材を中央位置に配置し多少厚みが有り吸水性が有る。
ｅ２の周囲にｅ２よりも面積を広めたｅ１の生分解性水溶性シート被膜部分が形成されていて、前記シート表面は一時的撥水機能を持った原料を薄く塗布又は噴霧し、汚物収容時は溶解しにくく、裏面側は原料に水溶性の機能が有る構造により、ｅ１の汚物収容後シート周囲被膜で包み込み茶巾状に絞り、トイレ封水廃棄の際は溶解しやすく、下水管までの流出が可能で有る。又  生分解性原料の為、汲み置き式トイレや土中の埋設後も完全に分解しごみが発生しない。
【符号の説明】
【００１３】
ｅは、生分解性水溶性シート全体
ｅ１は、生分解性水溶性シート被膜部分
ｅ２は、生分解性水溶性シート吸水素材部分
Ｈ２は、ｅ１の部分的積層部分
ｅ３は、折り畳んだ状態の被膜
【図１】
0003206401.tif 000003
【図２】
0003206401.tif 000004
【図３】
0003206401.tif 000005